(57)【要約】【課題】  特別な工具や才能がなくても比較的簡単にかばんを創作又は改造することができるようにする。【解決手段】少なくとも１種類以上の生地部品（１０，２０）を連結具（４０）で複数個連結してなるかばんである。前記各生地部品（１０，２０）は、本体部（１１，２１）と、少なくとも部分的に凹凸部（１３，１４；２４，２５）を有する輪郭を備えた多角形状の生地である。前記凸部（１４，２５）は中空パイプ状であるのが好ましい。前記連結具（４０）は、前記各生地部品の前記凹凸部（１４，２５）がかみ合わされた後に、前記凸部（１４，２５）のパイプ列を挿通する連結軸（４１）である。【選択図】  図４
2020089521.tif 000002
【特許請求の範囲】
【請求項１】
少なくとも１種類以上の生地部品（１０，２０）を連結具（４０）で複数個連結してなるかばん（Ｂ）であって、
前記各生地部品（１０，２０）は、本体部（１１，２１）と、少なくとも部分的に凹凸部（１３，１４；２４，２５）を有する輪郭を備えた多角形状の生地であり、
前記連結具（４０）は前記凹凸部（１３，１４；２４，２５）をつなぐものである
ことを特徴とするかばん（Ｂ）。
【請求項２】
前記凸部（１４，２５）は中空パイプ状であり、
前記連結具（４０）は、前記各生地部品の前記凹凸部（１４，２５）がかみ合わされた後に、前記凸部（１４，２５）のパイプ列を挿通する連結軸（４１）を有する
請求項１記載のかばん（Ｂ）。
【請求項３】
前記連結具（４０）が連結軸（４１）及びその両端の抜け止め（４３）からなる請求項１又は２記載のかばん。
【請求項４】
前記連結具（４０）は少なくとも片方の端部に中空部分を有し、この中空部分に抜け止め（４３）を差し込むことができるようにされている請求項１〜３記載のかばん。
【請求項５】
前記連結軸（４１）が樹脂製であり、前記抜け止め（４３）の少なくとも一方が金属製である請求項３又は４記載のかばん。
【請求項６】
前記連結軸（４１）が金属製であり、前記抜け止め（４３）の少なくとも一方が樹脂製である請求項３又は４記載のかばん。
【請求項７】
前記多角形状の生地（１０，２０）が、非直線の輪郭を有するほぼ三角形または非直線の輪郭を有するほぼ四角形である請求項１〜６のいずれかに記載のかばん。
【請求項８】
前記生地部品（１０，２０）の本体部に弱化線が設けられている請求項１〜７のいずれかに記載のかばん。
【請求項９】
前記弱化線が複数の小さい貫通孔（１２）からなる列又は断面Ｖ字形もしくはＵ字形の溝である請求項８記載のかばん。
【請求項１０】
非直線の輪郭を有するほぼ正方形のタイル状の生地部品（１０）であって、
全体が合成樹脂で一体成形され、
本体部（１１）と、この本体部の外側４辺に設けられた複数個の凹凸部（１４）を有し、
各凸部（１４）は中空パイプ状である生地部品。
【請求項１１】
前記生地部品（１０）の本体部（１１）に弱化線が設けられている請求項１０記載の生地部品。
【請求項１２】
前記弱化線が複数の小さい貫通孔（１２）からなる列又は断面Ｖ字形もしくはＵ字形の溝である請求項１１記載の生地部品。
【請求項１３】
非直線の輪郭を有するほぼ三角形のタイル状の生地部品（２０）であって、
全体が合成樹脂で一体成形され、
本体部（２１）と、この本体部の外側２辺に設けられた複数個の凹凸部（２５）を有し、
各凸部（２５）は中空パイプ状である生地部品。
【請求項１４】
前記生地部品（２０）の前記本体部（２１）に弱化線が設けられている請求項１３記載の生地部品。
【請求項１５】
前記弱化線が複数の小さい貫通孔からなる列もしくは断面Ｖ字形又はＵ字形の溝である請求項１４記載の生地部品。
【発明の詳細な説明】
【技術分野】
【０００１】
本発明は、組立かばんおよびそれに使用する生地部品に関する。
【背景技術】
【０００２】
かばんは専門メーカーが製造したものを店舗又は通販で購入するのが一般的である。自分で創作する人もいるが材料や工具をそろえなければならないだけでなく、ある程度の工芸的な訓練又は才能を必要とするので、ハードルはかなり高い。
【０００３】
また、いったんは気に入って購入したかばんであっても、そのデザインが流行遅れになったりして物足りなさを感じることがある。
【０００４】
このようなときに、特別な工具や才能がなくても比較的簡単にかばんを創作又は改造することができれば好都合である。
【０００５】
この要請にこたえるために、例えば意匠登録第１６００９０１号及び第１６００９０２号では、生地部品を提案しており、購入者がこの部品を繋ぎ合わせることにより、かばんなどの完成品を制作することができるようにしている。
【先行技術文献】
【特許文献】
【０００６】
【特許文献１】意匠登録第１６００９０１号公報
【特許文献２】意匠登録第１６００９０２号公報
【発明の概要】
【発明が解決しようとする課題】
【０００７】
本発明もこの従来技術と同様の発想に基づき行われたもので、かばん製造用の生地部品及びこの部品の連結具を提供することを目的とする。さらに、この生地部品に折り畳み機能を持たせることにより、かばんの形態にさまざまな変化を持たせることを目的とする。
【課題を解決するための手段】
【０００８】
本発明のかばんは、少なくとも１種類以上の生地部品を連結具で複数個連結してなるかばんであって、前記各生地部品は、本体部と、少なくとも部分的に凹凸部を有する輪郭を備えた多角形状の生地であり、前記連結具は前記凹凸部をつなぐものであることを特徴とする。
【０００９】
より好ましくは、前記凸部は中空パイプ状であり、前記連結具は、前記各生地部品の前記凹凸部がかみ合わされた後に、前記凸部のパイプ列を挿通する連結軸である。
【００１０】
前記連結具は連結軸及びその両端の抜け止めからなるものとすることができる。前記連結具は少なくともその片方の端部に中空部分を設けて、この中空部分に抜け止めを差し込むことができるようにすることが好ましい。
【００１１】
前記連結軸と前記抜け止めの素材としては、前記連結軸を樹脂製、前記抜け止めを金属製とすることができるし、逆に前記連結軸を金属製、前記抜け止めを樹脂製とすることもできる。
【００１２】
前記多角形状の生地は、非直線の輪郭を有するほぼ三角形または非直線の輪郭を有するほぼ四角形であることが好ましい。四角形は正方形であることが好ましい。
【００１３】
前記各生地部品の本体部には折り曲げを容易にするため弱化線を設けることが好ましい。弱化線としては複数の小さい貫通孔からなる列や断面Ｖ字形もしくはＵ字形の溝が好ましい。
【００１４】
本発明の生地部品は、非直線の輪郭を有するほぼ四角形のタイル状のものであり、全体が合成樹脂で一体成形され、本体部と、この本体部の外側４辺に、複数個の凹部と複数個の凸部からなる輪郭部を有し、各凸部は中空パイプ状である。好ましくは、本体部には弱化線、例えば複数の小さい貫通孔からなる列や断面Ｖ字形もしくはＵ字形の溝を設ける。
【００１５】
本発明の生地部品は別形態では、非直線の輪郭を有するほぼ三角形のタイル状のものであり、全体が合成樹脂で一体成形され、本体部と、この本体部の外側２辺に、複数個の凹部と複数個の凸部からなる輪郭部を有し、各凸部は中空パイプ状である。好ましくは、本体部には弱化線、例えば複数の小さい貫通孔からなる列や断面Ｖ字形もしくはＵ字形の溝を設ける。
【発明の効果】
【００１６】
本発明によれば、少なくとも１種類以上の生地部品を用意しておき、それを連結具でつないでいくだけでかばんを創作することができる。それに飽きたときには部分的または全体的に解体して部品に戻し、別の形態に改造することができる。
【００１７】
また、前記各生地部品の本体部に弱化線、例えば複数の小さい貫通孔からなる列や断面Ｖ字形又はＵ字形の溝を設けることにより、この部分で折り畳みが容易となるので、かばんの形態にさまざまな変化を持たせることができる。
【図面の簡単な説明】
【００１８】
【図１】本発明の実施例部品を使用して制作したかばんの正面図である。
【図２】本発明の実施例１に係る生地部品であり、（ａ）は左側面図、（ｂ）は平面図、（ｃ）は正面図、（ｄ）は底面図、（ｅ）は背面図、（ｆ）は（ｃ）のｆ−ｆ断面図、（ｇ）は右側面図である。
【図３】本発明の実施例２に係る生地部品であり、（ａ）は左側面図、（ｂ）は平面図、（ｃ）は正面図、（ｄ）は底面図、（ｅ）は背面図、（ｆ）は（ｃ）のｆ−ｆ断面図、（ｇ）は右側面図である。
【図４】本発明の実施例１に係る生地部品と実施例２に係る生地部品の連結方法を示す正面図であり、（ａ）は連結直前のもの、（ｂ）は連結後のものである。
【図５】図２の（５）−（５）断面図であり、（ａ）は折り曲げ前、（ｂ）は折り曲げ後を表している。
【図６】図４の（６）−（６）断面図であり、（ａ）は折り曲げ前、（ｂ）は折り曲げ後を表している。
【発明を実施するための形態】
【００１９】
以下、添付の図面に基づき、本発明の実施例を説明する。
【実施例１】
【００２０】
図１に示すかばんＢは、実施例１および２の生地部品１０，２０を組み合わせて制作したものである。そのほかに開口部用のバンド５０と持ち手６０を使用している。
【００２１】
図２に示すように、実施例１の第１生地部品１０は、縦横約６ｃｍのほぼ正方形のタイル状のものであり、全体が合成樹脂で一体成形されている。中央にほぼ正方形の本体部１１があり、図２（ｆ）に示すように、上方に向かってやや湾曲している。これは主として、陶器製タイルのような外観を持たせることによる意匠的な効果を狙ったものである。
【００２２】
本体部１１にはその対角線に沿って複数（図面では９個）の小さい貫通孔１２が列を形成している。図５に示すように、この貫通孔列１２は弱化線となり、この部分に沿ってこの第１生地部品１は折り曲げが可能である。図示しないが、弱化線としては、断面Ｖ字形又はＵ字形の溝でもよい。
【００２３】
本体部１１の外側四方各辺は、４個の凹部１３と４個の凸部１４からなる輪郭部が形成されている。各凸部１４は中空パイプ状である。
【実施例２】
【００２４】
図３に示すように、実施例２の第２生地部品２０は、第１生地部品１を対角線で切って２分割した、ほぼ三角形状の本体部２１を有する。この本体部２１の斜辺に沿って約２ｃｍ幅の延長部２２を設けており、全体が合成樹脂で一体成形されている。
【００２５】
延長部２２には貫通孔２３が３個設けられている。この貫通孔２３は開口部用のバンド５０（図１）を取り付けたりするときに使用される。延長部２２を除いた２辺には、４個の凹部２４と４個の凸部２５からなる輪郭部が形成されている。各凸部２５は中空パイプ状である。
【００２６】
図示しないが、この第２生地部品２０にも第１部品と同様に複数の小さい貫通孔の列からなる弱化線を設けることができる。
【実施例３】
【００２７】
図４は、第１生地部品１０と第２生地部品２０を連結してなる第３生地部品３０である。第１生地部品１０と第２生地部品２０を連結するために、図４（ａ）に示すような連結具４０を使用する。
【００２８】
連結方法は、まず第１生地部品１と第２生地部品２の凹凸部１３，１４；２４，２５を相互に組み合わせうえで、各凸部がつながって形成されるパイプ列１４，２５、１４、２５…の中に連結軸４１を差し込む。この連結軸４１が抜け落ちないように、頭部４２付き抜け止め４３で連結軸４１の両端を押さえる必要がある。
【００２９】
連結軸４１は製造効率の観点から、全体が中空のパイプであることが望ましい。しかし、端部に抜け止め４３を差し込む中空部分があれば十分であり、未貫通のトンネル状であってもよい。
【００３０】
また、連結軸４１はボルトのように予め片側のみに頭部４２を備えたものでもよく、連結を完了させたのちに頭部のない側に抜け止め４３を装着する方式をとってもよい。
【００３１】
連結軸４１及び抜け止め４３は金属製または合成樹脂製とすることができる。連結軸４１及び抜け止め４３の双方を金属製又は樹脂製としたり、連結軸４１を樹脂製、抜け止め４３の少なくとも一方を金属製としたり、連結軸４１を金属製、抜け止め４３の少なくとも一方を樹脂製としたりすることができる。
【実施例４】
【００３２】
以上の第１生地部品１０、第２生地部品２０、第３生地部品３０の全部または一部を複数個適宜組み合わせることにより、例えば図１のようなかばんＢを形成することができる。組み合わせの仕方や使用する部品の数に応じて無数のバリエーションが考えられるであろう。
【００３３】
かばんの側部や開口部などにおいて急角度の折り曲げが必要な個所には第１生地部品１０の貫通孔列１２が位置するようにすることが好ましい。このように所定個所で折り曲げを可能とすることにより、かばんに意外性のある変化を持たせることができる。例えば、筒状のカバンの開口部を急にすぼめたり、花弁が開くように放射状に開けたりするような変化が可能となる。
【００３４】
なお、このようにして各部品を組み合わせて外側を形成したかばんにおいても、必要があれば、内張り生地（図示せず）を設けることができる。
【００３５】
また、このかばんを改造したいという要望があれば、連結軸をいったん抜き取って、部分的に又は全面的に部品に解体し、そのうえで部品を再構築することができる。
【００３６】
上記説明では、生地部品を購入した人がかばんを作り上げる前提で説明したが、かばん専門メーカーが予め完成させた状態のかばんにして販売することもできるのは当然である。また、購入者からのかばん改造の依頼を受けて、かばん専門メーカー又はかばん販売店が改造してもよい。
【符号の説明】
【００３７】
１０   第１生地部品
１１   本体部
１２   貫通孔
１３   凹部
１４   凸部（パイプ）
２０   第２生地部品
２１   本体部
２２   延長部
２３   貫通孔
２４   凹部
２５   凸部
３０   第３生地部品
４０   連結具
４１   連結軸
４２   頭部
４３   ピン
５０   バンド
６０  持ち手
【図１】
2020089521.tif 000003
【図２】
2020089521.tif 000004
【図３】
2020089521.tif 000005
【図４】
2020089521.tif 000006
【図５】
2020089521.tif 000007
【図６】
2020089521.tif 000008